(57)【要約】【解決手段】電気コネクタは、コネクタハウジング（１）と一体に接続されたヒンジ型のカバー（５）を具備する。少なくとも１個の案内スロット（７）が、カバーのカバー部（６）に形成されると共に、カバー部の自由端に向かって外方に開口する。カバーを閉じる際にケーブル（３）が案内スロットに配置され、カバーが閉じられる際に案内スロットが狭窄されるので、ケーブルが案内スロットの内部で固定される。この結果、部品及び組立の観点から低コストでケーブルをしっかりと固定する。
2009541919.tif 000002
【特許請求の範囲】
【請求項１】
特に自動車内で電気的接続を構築する電気コネクタであって、
プラグ側及びケーブル供給側（２）を有するコネクタハウジング（１）と、
該コネクタハウジング（１）と一体に接続されると共に、前記プラグ側及び前記ケーブル供給側（２）の間に配置されるヒンジ型のカバー（５）であって、該カバー（５）を閉じる際に、該カバーのカバー部が前記ケーブル供給側（２）で前記コネクタハウジング（１）の部分を形成する前記カバー（５）と、
前記カバー部（６）に形成され、該カバー部（６）の自由端に向かって外方に開口する少なくとも１個の案内スロット（７）であって、該案内スロット（７）には、前記カバー（５）を閉じる際に少なくとも１本の関連するケーブル（３）を配置することができる一方、前記案内スロット（７）が狭窄され、その結果、前記ケーブル（３）が前記案内スロット（７）の内部で固定される前記案内スロット（７）と
を具備することを特徴とする電気コネクタ。
【請求項２】
前記案内スロット（７）は、指部（８，９，１２，１３）として形成された前記カバー部（６）の部品により前記案内スロット（７）の縦方向の両側に境を接し、
前記案内スロット（７）の狭窄は、前記カバー（５）を閉じる際に前記指部（８，９）の強制案内によりもたらされることを特徴とする請求項１記載の電気コネクタ。
【請求項３】
外方に開口する前記案内スロット（７）は、前記ケーブルを強固に固定するために閉じることができるように構成されることを特徴とする請求項１記載の電気コネクタ。
【請求項４】
前記案内スロット（７）の挿入領域に前記指部の各々の側に取り付けられた少なくとも１個のカム部（１５）が設けられ、
該カム部は、前記カバー（５）が閉じられ前記案内スロット（７）が狭窄される際に、閉鎖部材として作用することを特徴とする請求項３記載の電気コネクタ。
【請求項５】
前記コネクタハウジング（１）は、前記ケーブル供給側（２）から垂直方向に延びる壁（１７）を有し、
該壁の自由端（２０）には、前記カバー（５）の前記指部（８，９，１２，１３）の各々用に１個の開口（１８）を有する突起（１９）が設けられ、
前記カバーが閉じられる際に前記指部（８，９，１２，１３）の前記自由端（２０）が前記開口（１８）内に案内され、その結果、前記突起（１９）が前記案内スロット（７）を封鎖することを特徴とする請求項３記載の電気コネクタ。
【請求項６】
前記カバー（５）が閉じられる際に、前記突起（１９）と境を接する前記開口（１８）にそれぞれ前記指部（８，９，１２，１３）の前記自由端（２０）を強制的に案内し、この結果、前記案内スロット（７）が狭窄されることを特徴とする請求項５記載の電気コネクタ。
【請求項７】
少なくとも１個の前記案内スロット（７）は、１個の狭い領域（２１）で挿入開口に当接する幅を有し、
該幅は、前記カバー（５）が閉じられる際に前記ケーブル（３）を位置決めするのに十分であることを特徴とする請求項１ないし６のうちいずれか１項記載の電気コネクタ。
【請求項８】
前記カバー（５）が閉じられる際に前記コネクタハウジング（１）とロックする少なくとも１個のロックピン（１０）が、前記カバー部（６）の外部に横方向に配置されていることを特徴とする請求項１ないし７のうちいずれか１項記載の電気コネクタ。
【請求項９】
プラグ側及びケーブル供給側（２）を有するコネクタハウジング（１）であって、
該コネクタハウジング（１）と一体に接続されると共に、前記プラグ側及び前記ケーブル供給側の間に配置されるヒンジ型のカバー（５）であって、該カバーを閉じる際に、該カバーのカバー部（６）が前記ケーブル供給側（２）で前記コネクタハウジング（１）の部分を形成する前記カバー（５）と、
前記カバー部（６）に形成され、該カバー部（６）の自由端に向かって外方に開口する少なくとも１個の案内スロット（７）であって、該案内スロット（７）には、前記カバー（５）を閉じる際に少なくとも１本の関連するケーブル（３）を配置することができる一方、前記カバー（５）を閉じる際に前記案内スロット（７）が狭窄され、その結果、前記ケーブル（３）が前記案内スロット（７）の内部で固定される前記案内スロット（７）と
を具備することを特徴とするコネクタハウジング。
【発明の詳細な説明】
【技術分野】
【０００１】
本発明は、特に相手コネクタと共に自動車内で電気的接続を構築する電気コネクタ、すなわちソケット又はプラグに関する。本発明はまた、コネクタハウジングに関する。
【背景技術】
【０００２】
分離可能な機械的接続のため又は導電接続をロックするための電気コネクタは、多くの実施形態で知られている。コネクタの場合、ケーブルは、コネクタハウジング内に配置されたコンタクトキャビティ内部にロックされるコンタクトに、多くの場合、圧着で接続される。
【０００３】
例えば自動車内の過酷な環境条件では典型的ではないケーブルの移動又は振動のようなケーブルのストレスがケーブル及びコンタクト間の接続部に伝わってはならないという要求事項が、電気コネクタに課せられている。もちろんプラグの背後に配置された別体のケーブル固定デバイスにより、これらのストレスをコンタクトから離隔することができる。しかし、部品及び組立の観点から、コスト高という結果となる不利がある。
【０００４】
ケーブル用に多くの種類の保持デバイスが、コネクタとの関連で知られている。例えば、従来のケーブル配置具やケーブル結合具は、コネクタと一体化することができる。水が浸透しないよう保護される電気コネクタは、独国特許第４０１５７９３号明細書で公知である。この文献において、シール部材が設けられたケーブルを位置決めするためにケーブル挿入スロットが設けられたケーブル配置具が、外側から配置具に固定されキャップとして構成された別のシール部材と共に提供される。この別のシール部材は、ヒンジ型コネクタを介して一体品で配置具に接続することができる。しかし、リード線は、ケーブル配置具の内側で十分には固定されていない。
【０００５】
上述のものとは別に、コネクタの内部でコンタクトをロックするよう機能する多数の保持デバイスが公知である。例えば、コネクタハウジングと一体に接続されたほぼＬ形状のヒンジ型カバーを有する保持デバイスが、米国特許第４２００３５０号明細書で公知である。自由端には切欠きが設けられており、各切欠きは、カバーが閉じる際にハウジングの対応する切欠きと共にフィードスルー部を形成する。切欠きを分離するカバーの中間部は、コンタクトを固定する。ケーブルは、カバーが閉じる際に形成されるフィードスルー部内に固定されていない。
【発明の開示】
【発明が解決しようとする課題】
【０００６】
本発明は、ケーブルのストレスをコンタクトから離隔するために、部品及び組立の観点から低コストでコネクタの内部でケーブルを十分な強度で固定することを目的とする。
【課題を解決するための手段】
【０００７】
上述の目的は、独立請求項の１及び９に従った主題の事柄により達成される。利点のある本発明の発展形の特徴は、従属請求項に記載されている。
【０００８】
本発明に従った電気コネクタは、プラグ側及びケーブル供給側を有するコネクタハウジングを具備する。また、電気コネクタは、ヒンジ型のカバーを具備する。カバーはコネクタハウジングと一体に接続され、プラグ側及びケーブル供給側の間に配置されるので、カバーを閉じる際に、カバーのカバー部がケーブル供給側でコネクタハウジングの部分を形成する。同時に、カバー部には、カバー部の自由端に向かって外方に開口する少なくとも１個の案内スロットが形成される。案内スロットには、カバーを閉じる際に少なくとも１本の関連するケーブルを配置することができる一方、カバーを閉じる際にこの案内スロットが狭窄され、その結果、ケーブルが案内スロットの内部で固定される。
【０００９】
本発明に従ったコネクタは、このコネクタの製造用の工具を用いて簡単に組み立てられ、全高が低く、小型の設計形状であることを特徴とする。また、ケーブル結合具や巻付けテープ等の追加部品を要しないという特別な利点もある。さらに、コンタクトの取付け中に自由にアクセスできることのほか、組立の作業者にとっては簡単に作業ができるという利点がある。最後に、ケーブルの固定は、付加的なストレインリリーフの効果をも有する。本発明による手段は、コネクタのソケット及びプラグの双方においても容易に実施することができるので、コネクタの両側におけるケーブルを固定できる利点がある。
【００１０】
本発明に一実施形態によれば、案内スロットの狭窄によりケーブル固定を簡単に実施することには、指部として形成されたカバー部の部品により案内スロットがその縦方向の両側に境を接すること、及び案内スロットの狭窄は、カバーを閉じる際に指部の強制案内によりもたらされることが含まれる。
【００１１】
加えて、外方に開口する案内スロットは、ケーブルを強固に固定するために閉じることができるように構成されるという利点がある。これは、案内スロットの挿入領域に各指部の側に取り付けられた少なくとも１個のカム部が設けられることで達成される。このカム部は、カバーが閉じられ案内スロットが狭窄される際に、閉鎖部材として作用する。
【００１２】
特に好適な一実施形態によれば、コネクタハウジングは、ケーブル供給側から垂直方向に延びる壁を有することができ、壁の自由端には、カバーの各指部用に１個の開口を有する突起が設けられ、カバーが閉じられる際に指部の自由端が開口内に案内され、その結果、突起が案内スロットを封鎖する。同時に、この構造は、カバーが閉じられる際に突起と境を接する各開口に指部の各自由端を強制的に案内することを可能にするので、案内スロットは狭窄される。
【００１３】
全ての実施形態で、少なくとも１個の案内スロットが、１個の狭い領域で挿入開口に当接する幅を有することが推奨される。この幅は、カバーが閉じられる際にケーブルを位置決めするのに十分である。一方では、指部の基部を広げるように構成することで指部の機械的安定性が増大するという利点がある。他方では、最初は案内スロットの内部でケーブルの移動可能な範囲が減少するので、ケーブルがより良好に固定される。加えて、案内スロットは、ケーブルを挿入できる領域より長いので、結果として、指部の弾性がより大きくなる。
【００１４】
また、カバー部の外部に横方向に配置され、カバーが閉じられる際にコネクタハウジングとロックする少なくとも１個のロックピンがあれば有利である。
【発明を実施するための最良の形態】
【００１５】
以下、添付図面を参照して、本発明に従ったコネクタの実施形態を詳細に説明する。
【００１６】
図１は、ケーブル供給側２及び下方を向く図示されていないプラグ側を有する、一例としてソケットの形態であるコネクタハウジング１を示す。３本のケーブル３がケーブル供給側２から突出しており、ケーブル３の端部は、圧着部（心線圧着部及び絶縁圧着部）によりコンタクト（図示せず）に接続されている。コンタクトは、図４に示されるようにコンタクトキャビティ１６の内部にロックされている。コンタクトキャビティ１６は、コネクタハウジング１の内部に固定可能に配置されている。
【００１７】
ほぼＬ形状のカバー５が、薄いヒンジを使用してコネクタハウジング１の逆側に形成されているので、図１に示される開状態と図３に示される閉状態との間を回転可能である。（コネクタハウジング１に結合された辺より短くても長くてもよい）ほぼＬ形状のカバー５の自由端側のカバー部６は、細く開口した凹部すなわち案内スロット７により分離された４本の指部８，９，１２，１３を有する。２本の外側の指部８，９は、それぞれその基部にロックピン１０を有する。各ロックピン１０は横方向外側を指し、このロックピン１０により、カバー５をコネクタハウジング１に設けられたロック孔１１と閉状態にロックすることができる。２本の中央指部１２，１３は、外側の指部８，９と比較して長さがより長い。この長さは、単に外側のケーブル３と比較してオフセットして配置された中央ケーブル３の所定配置の結果である。中央指部１２，１３のより長い長さを考慮すると、例えば図１に見られる翼１４等の支持デバイスが指部の下面に設けられると有利である。
【００１８】
図２は、組立体を組み立てる作業者が第１停止部までカバー５を部分的に閉じたコネクタの状態を示す。特に中央指部１２，１３の最上端が丸みを帯びているので、ケーブル３は、カバー５を単に下方へ押圧することにより、案内スロット７の挿入開口に隣接して配置されたこの状態から、案内スロット７に容易に「ねじ込む」ことができ、案内スロット７に配置される。しかし、他の実施形態で、カバー５を閉じる際に、若干の不整合があるか、一方が起きると、作業者がケーブル３を若干引っ張ることにより、ケーブル３を案内スロット７内に手作業で挿入することができる。各指部８，９，１２，１３の一側には少なくとも１個のカム部１５が設けられているのが見える。カム部１５の機能については、図３との関連で以下に詳細に説明する。
【００１９】
図３において、図１及び図２に従ったコネクタが示されるが、カバー５は閉状態である。コネクタハウジング１の側壁に属する外側の指部８，９を直接強制的に案内することにより、遅くともカバー５が閉状態にロックされる際には外側の案内スロット７の狭窄が生ずる。この狭窄は、ケーブル３を介して間接的に内部の案内スロット７に伝わる。狭窄の結果生ずるケーブル３の固定は、カム部１５によってより確保される。カム部１５による狭窄は、カバー５を閉じて案内スロット７が狭窄される際に、各案内スロット７用のロック部材として作用する。
【００２０】
図４ないし図６に示される実施形態の場合、案内スロット７は、カム部１５によるのではなく、コネクタハウジング１のケーブル供給側２から垂直方向に延びる壁１７における突起１９及び突起１９間の開口１８と、カバー５の指部８，９，１２，１３との結合効果により、ロックされる。カバー５が閉じられると、指部８，９，１２，１３の自由端２０は開口１８内に案内されるので、突起１９は案内スロット７を閉鎖する。図示の本実施形態は、案内スロット７のうちの少なくとも１個が、図５に示されるように狭い領域２１の幅を有する点で、図１ないし図３に図示された実施形態とさらに差別化される。この狭い領域の幅は、カバー５を閉じる際にケーブル３を位置決めするのに十分な挿入開口に当接する案内スロット７の残余部分より広い。しかし、この構成は、図１ないし図３に従った実施形態にも使用することができる。突起１９及び中間の開口１８は、カバー５を閉じる際に対応する開口１８内に挿入される各指部８，９，１２，１３用の強制的案内という更なる効果を有し、案内スロット７の狭窄をもたらす。
【図面の簡単な説明】
【００２１】
【図１】カバーが開いた状態の本発明に従ったコネクタの第１実施形態を示す斜視図である。
【図２】カバーを閉じる途中の状態の本発明に従ったコネクタの第１実施形態を示す斜視図である。
【図３】カバーが閉じた状態の本発明に従ったコネクタの第１実施形態を示す斜視図である。
【図４】カバーが開いた状態の本発明に従ったコネクタの第２実施形態を示す斜視図である。
【図５】カバーを閉じる途中の状態の本発明に従ったコネクタの第２実施形態を示す斜視図である。
【図６】カバーが閉じた状態の本発明に従ったコネクタの第２実施形態を示す斜視図である。
【符号の説明】
【００２２】
１    コネクタハウジング
２    ケーブル供給側
３    ケーブル
５    カバー
６    カバー部
７    案内スロット
８    指部
９    指部
１０  ロックピン
１２  指部
１３  指部
１５  カム部
１７  壁
１８  開口
１９  突起
２０  自由端
【図１】
2009541919.tif 000003
【図２】
2009541919.tif 000004
【図３】
2009541919.tif 000005
【図４】
2009541919.tif 000006
【図５】
2009541919.tif 000007
【図６】
2009541919.tif 000008
【国際調査報告】
2009541919.tif 000009
2009541919.tif 000010